(57)【要約】【課題】  家屋やマンションなどの人目に付き易い既存の手すりに、後から防犯や装飾等の目的に応じたパネルを安全且つ迅速に取り付ける場合の、取り付け工法と取り付けに必要な治具を提供し安定した作業を定常化させる。【解決手段】  予めパネル２の上下に断面がＣ型形状の一対のステー３を取り付け、ステーの内部に左右に移動できる複数の板状ナット４を挿入し、手すり子１ｂを挟み込みゴムシート６を介して止め金具５で固定する。取り付け時はターンバックル８の一端８ｂを手すりの笠木にぶら下げ、もう一端８ｃをパネル２に結合して笠木１ａに仮り止めする。【選択図】  図２
2005213999.tif 000002
【特許請求の範囲】
【請求項１】
窓やベランダの既存手すりやフェンス及び面格子にパネルを後付けするため、パネルの上下部の水平方向に断面がＣ型のステーを結合し、ステーの内部に水平方向にのみ移動できる板状のナットを複数個内蔵させ、手すり子を挟み込み両端につば部を有する止め金具と前記板状ナットをねじで結合し、パネルを固定する手すりフェンス及び面格子用後付けパネル取り付け工法。
【請求項２】
上記ステーと板状ナットの間にゴムシートを挟み込んだ手すりフエンス及び面格子用後付けパネルの取り付け工法。
【請求項３】
請求項１で、取り付け時にパネルを手すりに仮付けするため、垂直方向に目盛りを印したターンバックル付きのフックを用い、該フックの一端は手すりの笠木にぶら下げる形状とし、もう一端をパネルに結合できるようにした手すりフェンス及び面格子用後付けパネルの取り付け工法。
【請求項４】
上記笠木にぶら下げるフックの先端にロープを接続させた手すりフェンス及び面格子用後付けパネルの取り付け工法。
【発明の詳細な説明】
【発明の詳細な説明】
【技術分野】
【０００１】  本発明は、一般家屋やビルディングの窓やベランダの既存手すりやフェンス及び面格子に後付けするパネルの取り付け工法に関する。
【背景技術】
【０００２】  従来は、建物の建築時に所定の手すりやフェンスや面格子を選定し施工していた。これらの部分への後付けパネルの施工例としては、宣伝用の看板や目隠し用のパネル等があり、これらは施工業者の任意な方法で取り付けが行われている。
【発明が解決しようとする課題】
【０００３】  手すりに取り付ける従来の看板やパネルは、それぞれの用途に応じて都度任意に後付けしており、施工方法も笠木や手すり子に直にビスで固定したり、ワイヤで固定したり、手すり子間にステーを設けパネルとステー間をボルトナットで固定するなど場当たり的な施工が多かった。手すりの用途は、従来落下防止のための安全対策やフェンスとしての使用が主体であった。最近の傾向としては、犯罪防止のため手すりの開口面積を小さくすることや、ベランダやバルコニーを趣味の空間にするため、手すり近くに装飾性を帯びた衝立等を設ける手法が用いられている。本発明で解決しようとする課題は、既設の手すりに、防犯や装飾性向上等の目的に応じた各種のパネルを、一定の工法により安全且つ容易に取り付けることにある。
【課題を解決するための手段】
【０００４】［解決手段１］
窓やベランダの既存手すりに、装飾性を帯びた丈夫なパネルを後付けするため、パネルの上下部の水平方向に断面がＣ型のステーを結合し、ステーの内部に水平方向にのみ移動できる板状のナットを複数個内蔵させ、複数の手すり子に、両端につば部を有する止め金具を挟み込み、前記板状ナットとねじで結合しパネルを固定する。
【０００５】［解決手段２］
上記に示すステーと板状ナットの間にゴムシートを挟み込み、ねじの締め付け力を一定に保つ。
［解決手段３］
高所作業となるため、取り付け時にパネルを手すりに仮付けする。このため垂直方向に目盛りを印したターンバックル付きのフックを用い、該フックの一端は手すりの笠木にぶら下げる形状とし、もう一端をパネルに結合しパネルを一時的に宙吊りにし、ターンバックルによりパネルの吊り下げ位置を設定する。
［解決手段４］
上記フックの笠木側の開放端にロープを接続させ、予め固定物に締結することで、施工時の万一のパネルの落下を防ぐ。
【発明を実施するための最良の形態】
【０００６】  以下本発明の実施の形態を図に基づいて説明する。図において、図１は本発明の実施例を示すパネル取り付け平面図、図２は取り付け途中のパネルと手すりの部分斜視図、図３はパネル固定部分の部分斜視図、図４はパネル固定部分の断面図である。【０００７】  図１において、１は既存の手すりであり、手すりの笠木１ａと手すり子１ｂを利用して手すり表面にパネル２を取り付け、手すり部分の美観を維持しながら、手すり部分を適度に目隠ししている。このためパネル２には淵２ａと開口部２ｂを設けている。図２はパネル２の取り付け途中の状態の斜視図を示しており、図３及び図４には取り付け部分の拡大図及び部分断面図を示している。パネル２の上下部に断面がＣ状のステー３を結合し、ステー３の内部に水平方内向にのみ移動できる板状のナット４を複数個内蔵させ、各種の手すり子１ｂの取り付け間隔に対応できるようにしている。板状のナット４を手すり子１ｂの位置に合わせ、手すり子を挟み込み両端につば部を有する止め金具５と前記ナット４、およびこれらの止め金具とナットの間に挟みこんだゴムシート６をねじ７で結合し、パネル２を手すり子１ｂに取り付けている。ねじの締め付けは、ゴムシートの弾力を利用するため、どの位置においてもほぼ一定の締め付け力とすることができる。【０００８】取り付け作業中には、高所作業時の落下防止のため、パネル２の両側に一対のターンバックル８を一時的に取り付け、パネル２の仮保持を行う。このためターンバックル８のねじ込み金具８ｂの先端を淵板２ａに貫通させてナット９で固定し、もう一方のねじ込み金具８ｃの先端フックを笠木１ａに引っ掛ける。ターンバックル８には高さ方向に目盛り８ａを印しており、左右のターンバックルの高さを合わせながら取り付け位置を定める。ターンバックルのねじ込み金具８ｃの先端にはロープ１０を連結し、ロープの端を手すり子１ｂ等に繋ぐことで仮保持時中での万一の落下に備える。パネル２の取り付けが完了したら、ナット９及びロープ１０を外して、ターンバックル８を取り除く。
【発明の効果】
【０００９】  以上の説明の通り、本発明は、各種形状の手すりフェンス及び面格子への後付けパネルの取り付けを容易にするため、専用のステーや止め金具等の治具を利用して手すりや面格子への装着を可能にし、また、取り付け位置を調整できるターンバックルと落下防止用のロープを併用することで、手すりへのパネルの取り付けを安全且つ迅速に実施することができる。後付けパネルの適用は、防犯や癒し空間の演出などで増加する傾向にあり、安全な施工や簡便なメンテナンスができる取付け工法や治具が必要になるが、本発明に依ると構造や施工方法が簡易なため標準化することも容易であり、取り付けに関する事故の未然防止が可能になる。
【図面の簡単な説明】
【図１】  手すりにパネル取り付け後の平面図
【図２】  パネル取付け途中の部分斜視図
【図３】  パネル取り付け後の部分斜視図
【図４】  パネル固定部分の部分断面図
【符号の説明】
１    手すり
１ａ  笠木
１ｂ  手すり子
２    パネル
２ａ  パネルの淵
２ｂ  パネルの開口部
３    ステー
４    板状ナット
５    止め金具
６    ゴムシート
７    ねじ
８    ターンバックル
８ａ  目盛り
８ｂ  ターンバックルのパネル取り付けねじ込み金具
８ｃ  ターンバックルのフック状ねじ込み金具
９    ナット
１０  ロープ
【図１】
2005213999.tif 000003
【図２】
2005213999.tif 000004
【図３】
2005213999.tif 000005
【図４】
2005213999.tif 000006